(57)【特許請求の範囲】
【請求項１】
利用者を識別する利用者識別データと該利用者による第１のカラオケ端末のカラオケの利用状況を示す第１のカラオケの利用状況データとを取得する第１の利用状況データ取得手段と、
前記利用者識別データと前記利用者による第２のカラオケ端末のカラオケの利用状況を示す第２のカラオケの利用状況データとを取得する第２の利用状況データ取得手段と、
前記第１の利用状況データ取得手段により取得された利用者識別データと第１のカラオケの利用状況データとを対応付けて記憶するとともに、前記第２の利用状況データ取得手段により取得された利用者識別データと第２のカラオケの利用状況データとを対応付けて記憶する利用状況データ記憶手段と、
前記利用状況データ記憶手段に記憶された第２のカラオケの利用状況データに応じて、該第２のカラオケの利用状況データに対応する利用者識別データの示す利用者に対する課金額を算出する課金額算出手段であって、該利用者識別データに対応する第１のカラオケの利用状況データに応じて、該課金額の割引を行う課金額算出手段と
を具備することを特徴とする課金管理装置。
【請求項２】
請求項１に記載の課金管理装置と、前記第１のカラオケ端末とを有する課金システムであって、
前記第１のカラオケ端末は、
前記利用者識別データを取得する利用者識別データ取得手段と、
前記第１のカラオケの利用状況データを生成する第１のカラオケの利用状況データ生成手段と、
前記利用者識別データ取得手段により取得した利用者識別データと前記第１のカラオケの利用状況生成手段により生成された第１のカラオケの利用状況データとを対応付けて、前記課金管理装置に送信する送信手段と
を具備し、
前記第１の利用状況データ取得手段は、前記第１のカラオケ端末によって送信される利用者識別データと前記第１のカラオケの利用状況データとを受信する
ことを特徴とする課金システム。
【請求項３】
前記利用状況データ記憶手段に記憶された第１のカラオケの利用状況データに応じて、前記第１のカラオケ端末の管理者に対する課金額を算出する第２の課金額算出手段であって、該第１のカラオケの利用状況データに対応する利用者識別データを前記利用状況データ記憶手段を参照して特定し、特定した利用者識別データに対応する第２のカラオケの利用状況データに応じて、該課金額の割引を行う第２の課金額算出手段
を具備することを特徴とする請求項１に記載の課金管理装置。
【請求項４】
前記利用状況データ記憶手段に記憶された第１のカラオケの利用状況データに応じて、該第１のカラオケの利用状況データに対応する利用者識別データの示す利用者に対する課金額を算出する第３の課金額算出手段であって、該利用者識別データに対応する第２のカラオケの利用状況データに応じて、該課金額の割引を行う第３の課金額算出手段
を具備することを特徴とする請求項１又は３に記載の課金管理装置。
【請求項５】
前記第１のカラオケの利用状況データは、カラオケの利用楽曲数を示すデータを少なくとも含み、
前記課金額算出手段は、前記利用者識別データに対応する第１のカラオケの利用状況データによって示される利用楽曲数が多いほど割引率を高くする
ことを特徴とする請求項１、３又は４に記載の課金管理装置。
【請求項６】
前記第１のカラオケの利用状況データは、カラオケの利用時間を示すデータを少なくとも含み、
前記課金額算出手段は、前記利用者識別データに対応する第１のカラオケの利用状況データによって示される利用時間が長いほど割引率を高くする
ことを特徴とする請求項１又は請求項３乃至５のいずれか１項に記載の課金管理装置。
【請求項７】
店舗を識別する店舗識別データと割引体系との対応関係を記憶する対応関係記憶手段
を具備し、
前記第１のカラオケ利用状況データは前記店舗識別データを含み、
前記課金額算出手段は、前記利用者識別データに対応する第１のカラオケの利用状況データに含まれる店舗識別データに対応する割引体系を、前記対応関係記憶手段を参照して特定し、特定した割引体系に従って前記課金額の割引を行う
ことを特徴とする請求項１又は請求項３乃至６のいずれか１項に記載の課金管理装置。
【請求項８】
前記第１のカラオケの利用状況データ及び前記第２のカラオケの利用状況データは、カラオケの利用楽曲数、利用時間、再生楽曲回数及び利用頻度の少なくともいずれかひとつを示すデータを含む
ことを特徴とする請求項１又は請求項３乃至７のいずれか１項に記載の課金管理装置。
【発明の詳細な説明】
【技術分野】
【０００１】
本発明は、課金処理を行う技術に関する。
【背景技術】
【０００２】
カラオケボックスや飲食店等の店舗においては、店舗の管理者は、店舗に設置されたカラオケボックスによって事業としてのカラオケサービスを提供する。そのようなカラオケ装置（以下「業務用カラオケ装置」という）を利用する利用者は、その店舗の管理者に対してカラオケ装置の利用料金を支払うことによってカラオケを楽しむことができる。この場合、所定の課金体系に従った課金処理が店舗の管理者に対して行われる。
【０００３】
また、近年では、家庭でカラオケを楽しむための個人向けのカラオケ装置が提案されている。このようなカラオケ装置（以下「個人用カラオケ装置」という）は家庭に設置され、利用者に対して、所定の課金体系に従った課金処理が行われる。利用者は、カラオケシステムの提供者に対して利用料金を支払うことによってカラオケを楽しむことができる。
【０００４】
また、カラオケコンテンツ配信システムにおいて、課金処理を好適に行うための方法が種々提案されている。例えば、特許文献１には、利用者認証手段により、グループ参加の各利用者ＩＤを識別し、ログ時刻記録手段により利用者毎のカラオケ演奏装置へのログイン時及びログアウト時の時刻を記録すると共に、配達時刻記録手段によりグループに対する個々のルームサービスの配達時間を記録し、在室していた利用者それぞれに、所定のルームサービス料金を利用者の人数で除した平均金額を課金する方法が提案されている。
【特許文献１】特開２００６−０７２４４７号公報
【発明の開示】
【発明が解決しようとする課題】
【０００５】
ところで、家庭でカラオケを楽しんでいる個人用カラオケ装置の利用者が、外出先において業務用カラオケ装置を用いてカラオケを楽しむ場合がある。このような場合に、利用者に対して、利用状況に応じたサービスを提供することができれば好適である。
【０００６】
本発明は上述した背景の下になされたものであり、業務用カラオケ装置と個人用カラオケ装置との両方を利用する利用者に対して、利用状況に応じたサービスを提供することのできる技術を提供することを目的とする。
【課題を解決するための手段】
【０００７】
上記課題を解決するために、本発明は、利用者を識別する利用者識別データと該利用者による第１の端末の利用状況を示す第１の利用状況データとを取得する第１の利用状況データ取得手段と、前記利用者識別データと前記利用者による第２の端末の利用状況を示す第２の利用状況データとを取得する第２の利用状況データ取得手段と、前記第１の利用状況データ取得手段により取得された利用者識別データと第１の利用状況データとを対応付けて記憶するとともに、前記第２の利用状況データ取得手段により取得された利用者識別データと第２の利用状況データとを対応付けて記憶する利用状況データ記憶手段と、前記利用状況データ記憶手段に記憶された第２の利用状況データに応じて、該第２の利用状況データに対応する利用者識別データの示す利用者に対する課金額を算出する課金額算出手段であって、該利用者識別データに対応する第１の利用状況データに応じて、該課金額の割引を行う課金額算出手段とを具備することを特徴とする課金管理装置を提供する。
【０００８】
また、本発明は、上述の課金管理装置と、前記第１の端末とを有する課金システムであって、前記第１の端末は、前記利用者識別データを取得する利用者識別データ取得手段と、前記第１の利用状況データを生成する第１の利用状況データ生成手段と、前記利用者識別データ取得手段により取得した利用者識別データと前記第１の利用状況生成手段により生成された第１の利用状況データとを対応付けて、前記課金管理装置に送信する送信手段とを具備し、前記第１の利用状況データ取得手段は、前記第１の端末によって送信される利用者識別データと前記第１の利用状況データとを受信することを特徴とする課金システムを提供する。
【０００９】
また、上述の課金管理装置において、前記利用状況データ記憶手段に記憶された第１の利用状況データに応じて被課金者に対する課金額を算出する第２の課金額算出手段であって、該第１の利用状況データに対応する利用者識別データを前記利用状況データ記憶手段を参照して特定し、特定した利用者識別データに対応する第２の利用状況データに応じて、該課金額の割引を行う第２の課金額算出手段を具備してもよい。
【００１０】
また、上述の課金管理装置において、前記利用状況データ記憶手段に記憶された第１の利用状況データに応じて、該第１の利用状況データに対応する利用者識別データの示す利用者に対する課金額を算出する第３の課金額算出手段であって、該利用者識別データに対応する第２の利用状況データに応じて、該課金額の割引を行う第３の課金額算出手段を具備してもよい。
【発明の効果】
【００１１】
本発明によれば、業務用カラオケ装置と個人用カラオケ装置との両方を利用する利用者に対して、利用状況に応じたサービスを提供することができる。
【発明を実施するための最良の形態】
【００１２】
以下、図面を参照して、本発明の実施形態について説明する。かかる実施の形態は、本発明の一態様を示すものであり、この発明を限定するものではなく、本発明の範囲内で任意に変更可能である。
【００１３】
＜Ａ：構成＞
まず、図１を参照して、本発明に係る課金システムをカラオケサービスのために用いた形態について説明する。図において、複数の店舗１，１，…は、全国各地に開設されたカラオケボックスや飲食店等の店舗である。複数の店舗１，１，…には、それぞれルータ１１と複数の業務用カラオケ装置１２，１２，…とがＬＡＮ１３で接続されて設置されている。ルータ１１はＶＰＮ３上を流れるデータをＬＡＮ１３に中継する機器である。業務用カラオケ装置１２，１２，…は、楽曲データベース５から配信されるカラオケコンテンツを用いて利用者にカラオケサービスを提供する装置である。業務用カラオケ装置１２，１２，…は、それぞれＬＡＮ１３に接続され、楽曲データベース５から配信されるカラオケコンテンツを用いてカラオケ伴奏や歌詞テロップの表示を行うことによって、カラオケサービスを利用者に提供する。なお、図１においては、図面が煩雑になるのを防ぐため、ひとつの店舗１についてのみルータ１１と業務用カラオケ装置１２，１２，…とが図示されているが、他の店舗１にも同様にルータ１１と業務用カラオケ装置１２，１２，…が設置されている。
【００１４】
業務用カラオケ装置１２，１２，…は、ＬＡＮ１３、ルータ１１及びＶＰＮ３を介して店舗管理データベース４、楽曲データベース５、採点データベース６、課金管理装置７と接続されている。店舗管理データベース４は、各業務用カラオケ装置１２への配信状況や、コンテンツの再生回数等のログ管理を行うためのデータベースである。
【００１５】
楽曲データベース５は、楽曲の伴奏音や歌詞を表すカラオケコンテンツを複数記憶したデータベースである。このカラオケコンテンツは、業務用カラオケ装置１２及び個人用カラオケ装置２２においてカラオケ伴奏を行う際に用いられるコンテンツであり、業務用カラオケ装置１２及び個人用カラオケ装置２２に配信される。楽曲データベース５は、ＶＰＮ３等を介して接続された業務用カラオケ装置１２及び個人用カラオケ装置２２にカラオケコンテンツを配信する。採点データベース６は、業務用カラオケ装置１２によるカラオケの採点結果を利用者毎に蓄積する。
【００１６】
課金管理装置７は、業務用カラオケ装置１２に配信されるカラオケコンテンツに基づいて、業務用の課金体系に従って、各店舗１の管理者に対して課金処理を行う装置である。以下の説明では、説明の便宜上、業務用カラオケ装置１２を利用する利用者を「エンドユーザ」と称して説明する。また、業務用カラオケ装置１２の管理者（店舗１の管理者）を「非エンドユーザ」と称して説明する。課金管理装置７は、業務用カラオケ装置１２と非エンドユーザとの対応関係を記憶しており、この対応関係に基づいて、業務用の課金体系に従って非エンドユーザに対して課金処理を行う。
【００１７】
家屋２，２，…は、エンドユーザが個人的にカラオケを楽しむ施設である。家屋２，２，…にはそれぞれ、家庭用ルータ２１と個人用カラオケ装置２２とがＬＡＮ２３で接続されて設置されている。家庭用ルータ２１はインターネット８上を流れるデータをＬＡＮに中継する機器である。個人用カラオケ装置２２は、エンドユーザによって個人的に使用されるカラオケ装置である。個人用カラオケ装置２２は、家庭内ＬＡＮ２３に接続され、楽曲データベース５から配信されるカラオケコンテンツを用いてカラオケ伴奏や歌詞テロップの表示を行うことによって、エンドユーザにカラオケサービスを提供する。なお、図１においては、図面が煩雑になるのを防ぐため、ひとつの家屋２についてのみ家庭用ルータ２１と個人用カラオケ装置２２とが図示されているが、他の家屋２にも同様に家庭用ルータ２１と個人用カラオケ装置２２とが設置されている。個人用カラオケ装置２２は、家庭用ルータ２１とインターネット８を介して課金管理装置９、ユーザ管理データベース１０と接続されている。
【００１８】
課金管理装置９は、個人用カラオケ装置２２に配信されるカラオケコンテンツに基づいて、エンドユーザに対して課金処理を行う装置である。課金管理装置９は、個人用カラオケ装置２２とエンドユーザとの対応関係を記憶しており、この対応関係に基づいて、個人用の課金体系に従ってエンドユーザに対して課金処理を行う。
【００１９】
ユーザ管理データベース１０には、エンドユーザのコンテンツの購入情報、購入履歴、採点結果履歴等の各種のデータが、エンドユーザ毎に記憶されている。エンドユーザのそれぞれにはそのエンドユーザを識別するユーザＩＤ（識別情報）が割り当てられており、コンテンツ購入情報、購入履歴、採点結果履歴等のエンドユーザに係る各種の情報（以下「ユーザ情報」という）は、ユーザＩＤに対応付けられて記憶されている。ユーザ情報の具体的な一例としては、例えば、エンドユーザによる業務用カラオケ装置１２の利用状況を示すデータ（以下「業務用利用状況データ」という）や、エンドユーザによる個人用カラオケ装置２２の利用状況を示すデータ（以下「個人用利用状況データ」）が用いられる。
【００２０】
次に、図２は、各店舗１に設置された業務用カラオケ装置１２の構成を示すブロック図である。図において、制御部１２１は、ＣＰＵ（Central Processing Unit）やＲＯＭ（Read Only Memory）、ＲＡＭ（Random Access Memory）を備え、ＲＯＭ又は記憶部１２２に記憶されているコンピュータプログラムを読み出して実行することにより、バスＢＵＳを介して業務用カラオケ装置１２の各部を制御する。記憶部１２２は、制御部１２１によって実行されるコンピュータプログラムやその実行時に使用されるデータを記憶するための記憶手段であり、例えばハードディスク装置である。表示部１２３は、液晶パネルを備え、制御部１２１による制御の下に各種の画像を表示する。操作部１２４は、業務用カラオケ装置１２の利用者による操作に応じた信号を出力する。マイクロホン１２５は、収音し、収音した音声を表す音声信号（アナログ信号）を出力する。音声処理部１２６は、マイクロホン１２５が出力する音声信号（アナログ信号）をＡ／Ｄ変換によりデジタルデータに変換する。また、音声処理部１２６は、供給されるデジタルデータをＤ／Ａ変換によりアナログ信号に変換してスピーカ１２７に供給する。スピーカ１２７は、音声処理部１２６から出力されるアナログ信号に応じた強度で放音する。通信部１２８は、他の装置との間でＶＰＮ３等を介して通信を行うための通信手段である。
【００２１】
なお、この実施形態では、マイクロホン１２５とスピーカ１２７とが業務用カラオケ装置１２に含まれている場合について説明するが、音声処理部１２６に入力端子及び出力端子を設け、オーディオケーブルを介してその入力端子に外部マイクロホンを接続する構成としても良い。同様に、オーディオケーブルを介してその出力端子に外部スピーカを接続する構成としても良い。また、この実施形態では、マイクロホン１２５から音声処理部１２６へ入力されるオーディオ信号及び音声処理部１２６からスピーカ１２７へ出力されるオーディオ信号がアナログオーディオ信号である場合について説明するが、デジタルオーディオデータを入出力するようにしても良い。このような場合には、音声処理部１２６にてＡ／Ｄ変換やＤ／Ａ変換を行う必要はない。表示部１２３についても同様であり、外部出力端子を設け、外部モニタを接続する構成としても良い。
【００２２】
記憶部１２２は、図示のように、カラオケコンテンツ記憶領域１２２１を有している。カラオケコンテンツ記憶領域１２２１には、楽曲の伴奏音や歌詞を表すカラオケコンテンツが記憶されている。これらのカラオケコンテンツは、楽曲データベース５から配信されるコンテンツである。
【００２３】
次に、個人用カラオケ装置２２の構成について図面を参照しつつ説明する。図３は、個人用カラオケ装置２２の構成を示すブロック図である。図において、制御部２２１、記憶部２２２、表示部２２３、操作部２２４、マイクロホン２２５、音声処理部２２６、スピーカ２２７、通信部２２８、の機能はそれぞれ、業務用カラオケ装置１２の制御部１２１、記憶部１２２、表示部１２３、操作部１２４、マイクロホン１２５、音声処理部１２６、スピーカ１２７、通信部１２８の機能とほぼ同様であり、説明を省略する。
【００２４】
次に、課金管理装置７の構成について図面を参照しつつ説明する。図４は、課金管理装置７の構成を示すブロック図である。図において、制御部７１、表示部７３、操作部７４、通信部７８の機能はそれぞれ、業務用カラオケ装置１２の制御部１２１、表示部１２３、操作部１２４、通信部１２８の機能とほぼ同様であり、説明を省略する。
【００２５】
記憶部７２は、制御部７１によって実行されるコンピュータプログラムやその実行時に使用されるデータを記憶するための記憶手段であり、例えばハードディスク装置である。課金管理装置７の記憶部７２は、図示のように、対応関係記憶領域７２１を有している。対応関係記憶領域７２１には、業務用カラオケ装置１２と非エンドユーザとの対応関係が記憶されている。図５は、対応関係記憶領域７２１に記憶された対応関係の内容の一例を示す図である。図示のように、この記憶領域には、「非エンドユーザＩＤ」と「装置ＩＤ」との各項目が互いに関連付けられて記憶されている。これらの項目のうち、「非エンドユーザＩＤ」の項目には、業務用カラオケ装置１２が設置された店舗１の管理者を識別する識別情報（非エンドユーザＩＤ）が記憶される。「装置ＩＤ」の項目には、業務用カラオケ装置１２を識別する識別情報（装置ＩＤ）が記憶される。課金管理装置７は、この対応関係記憶領域７２１に記憶された対応関係に基づいて、業務用課金体系に従って、非エンドユーザに対して課金処理を行う。
【００２６】
次に、課金管理装置９の構成について図面を参照しつつ説明する。図６は、課金管理装置９の構成を示すブロック図である。図において、制御部９１、表示部９３、操作部９４、通信部９８の機能はそれぞれ、課金管理装置７の制御部７１、表示部７３、操作部７４、通信部７８の機能とほぼ同様であり、説明を省略する。
【００２７】
記憶部９２は、制御部９１によって実行されるコンピュータプログラムやその実行時に使用されるデータを記憶するための記憶手段であり、例えばハードディスク装置である。記憶部９２は、図示のように、対応関係記憶領域９２１を有している。対応関係記憶領域９２１には、個人用カラオケ装置２２とエンドユーザとの対応関係が記憶されている。図７は、対応関係記憶領域９２１に記憶された対応関係の内容の一例を示す図である。図示のように、この記憶領域には、「エンドユーザＩＤ」と「装置ＩＤ」との各項目が互いに関連付けられて記憶されている。これらの項目のうち、「エンドユーザＩＤ」の項目には、エンドユーザを識別するエンドユーザＩＤ（識別情報）が記憶される。「装置ＩＤ」の項目には、個人用カラオケ装置２２を識別する装置ＩＤ（識別情報）が記憶される。課金管理装置９は、この対応関係記憶領域９２１に記憶された対応関係に基づいて、個人用課金体系に従って、エンドユーザに対して課金処理を行う。
【００２８】
＜Ｂ：動作＞
次に、本システムの動作について説明する。
＜Ｂ−１：業務用カラオケコンテンツ配信動作＞
楽曲データベース５は、所定のタイミングで、カラオケコンテンツを業務用カラオケ装置１２に対して配信する。この配信タイミングは、例えば、１ヶ月毎、１週間毎等の、予め定められた時間間隔で配信するようにしてもよく、また、例えば、配信要求を示す配信要求データを業務用カラオケ装置１２から受信したタイミングで該配信要求データに対応するカラオケコンテンツを配信するようにしてもよい。楽曲データベース５から配信されたカラオケコンテンツは、業務用カラオケ装置１２のカラオケコンテンツ記憶領域１２２１に記憶される。このとき、課金管理装置７は、楽曲データベース５からの配信状況を示す配信状況データを、店舗を識別する店舗識別データに対応付けて、店舗管理データベース４に記憶する。
【００２９】
＜Ｂ−２：業務用カラオケ装置利用動作＞
次に、エンドユーザが業務用カラオケ装置１２を利用する場合の動作について説明する。
エンドユーザは、業務用カラオケ装置１２を管理する非エンドユーザに使用料金を支払うことによって業務用カラオケ装置１２を利用することができる。エンドユーザが業務用カラオケ装置１２の操作部１２４を用いて楽曲指定操作を行うと、制御部１２１は、操作部１２４から供給される信号に基づいてカラオケコンテンツ記憶領域１２２１に記憶されたカラオケコンテンツのいずれかを選択する。選択された楽曲のカラオケコンテンツがカラオケコンテンツ記憶領域１２２１から読み出され、音声処理部１２６がコンテンツをアナログの楽音信号に変換し、スピーカ１２７に供給する。これにより、スピーカ１２７からはカラオケコンテンツに応じた楽音が放音される。エンドユーザは、スピーカ１２７から放音されるカラオケ伴奏に合わせて歌唱を行うことで、カラオケを楽しむことができる。
【００３０】
このとき、エンドユーザは、業務用カラオケ装置１２を利用するにあたって、自身に割り当てられたユーザＩＤを、操作部１２４を用いて業務用カラオケ装置１２に入力することができる。操作部１２４は、操作された内容に応じた信号を出力し、制御部１２１は、入力されたユーザＩＤを、そのユーザＩＤによる業務用カラオケ装置１２の利用状況（利用楽曲数、利用時間、再生楽曲回数、利用頻度、等）を示す業務利用状況データに対応付けて、ユーザ管理データベース１０に送信する。ユーザ管理データベース１０は、業務用カラオケ装置１２から受信するユーザＩＤと業務利用状況データとを対応付けて、データベースに登録する。これにより、ユーザ管理データベース１０には、エンドユーザによる業務用カラオケ装置１２の利用状況を示す業務利用状況データが、エンドユーザ毎に蓄積される。
【００３１】
＜Ｂ−３：個人用カラオケコンテンツ配信動作＞
楽曲データベース５は、所定のタイミングで、カラオケコンテンツを個人用カラオケ装置２２に対して配信する。この配信タイミングは、例えば、１ヶ月毎、１週間毎等の、予め定められた時間間隔で配信するようにしてもよく、また、例えば、配信要求を示す配信要求データを個人用カラオケ装置２２から受信したタイミングで該配信要求データに対応するカラオケコンテンツを配信するようにしてもよい。楽曲データベース５から配信されたカラオケコンテンツは、個人用カラオケ装置２２のカラオケコンテンツ記憶領域２２２１に記憶される。このとき、課金管理装置９は、楽曲データベース５からの配信状況を示す配信状況データを、エンドユーザを識別するユーザＩＤに対応付けて、ユーザ管理データベース１０に記憶する。
【００３２】
＜Ｂ−４：個人用カラオケ装置利用動作＞
次に、エンドユーザが個人用カラオケ装置２２を利用する場合の動作について説明する。
エンドユーザが個人用カラオケ装置２２の操作部２２４を用いて楽曲指定操作を行うと、制御部２２１は、操作部２２４から供給される信号に基づいてカラオケコンテンツ記憶領域２２２１に記憶されたカラオケコンテンツのいずれかを選択する。選択された楽曲のカラオケコンテンツがカラオケコンテンツ記憶領域２２２１から読み出され、音声処理部２２６がコンテンツをアナログの楽音信号に変換し、スピーカ２２７に供給する。これにより、スピーカ２２７からはカラオケコンテンツに応じた楽音が放音される。エンドユーザは、スピーカ２２７から放音されるカラオケ伴奏に合わせて歌唱を行うことで、カラオケを楽しむことができる。
【００３３】
このとき、個人用カラオケ装置２２は、エンドユーザの利用状況を示す利用状況データを、ユーザ管理データベース１０に対して送信する。制御部２２１は、ユーザＩＤを、そのユーザＩＤによる個人用カラオケ装置２２の利用状況（利用楽曲数、利用時間、再生楽曲回数、利用頻度、等）を示す個人利用状況データに対応付けて、ユーザ管理データベース１０に送信する。ユーザ管理データベース１０は、個人用カラオケ装置２２から受信するユーザＩＤと個人利用状況データとを対応付けて、データベースに登録する。これにより、ユーザ管理データベース１０には、エンドユーザによる個人用カラオケ装置２２の利用状況を示す個人利用状況データが、エンドユーザ毎に蓄積される。
【００３４】
＜Ｂ−５：業務用カラオケ課金動作＞
次に、業務用カラオケ装置１２に対する課金動作について説明する。課金管理装置７は、対応関係記憶領域７２１に記憶された対応関係に基づいて、業務用課金体系に従って非エンドユーザに対して課金処理を行う。なお、この課金処理の内容は、従来のカラオケ装置に対する課金処理と同様であり、ここではその詳細な説明を省略する。
【００３５】
＜Ｂ−６：個人用カラオケ課金動作＞
次に、個人用カラオケ装置２２に対する課金動作について説明する。課金管理装置９は、ユーザ管理データベース１０に記憶された個人利用状況データに応じて、対応関係記憶領域９２１に記憶された対応関係に基づいて、エンドユーザに対して課金処理を行う。このとき、課金管理装置９は、ユーザ管理データベース１０に記憶された業務利用状況データに応じて課金額の割引を行う。具体的には、例えば、課金管理装置９は、業務利用状況データの示す業務用カラオケ装置１２の利用楽曲数が多いほど割引率を高くしたり、業務利用状況データの示す利用時間が長いほど割引率を高くしたりしてもよい。課金管理装置９は、課金額を算出すると、算出した課金額に応じて所定のカード決済会社等に対して決済処理を行う。
【００３６】
以上説明したように本実施形態によれば、業務用カラオケ装置１２の利用状況を示す業務利用状況データをエンドユーザ毎に記憶しておき、個人用カラオケ装置２２に対する課金額を算出する際に、そのエンドユーザに対応する業務利用状況データに応じて課金額の割引を行う。このようにすることで、業務用カラオケ装置１２と個人用カラオケ装置２２との両方を利用するエンドユーザの利用状況に応じた課金処理を行うことができる。
【００３７】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述の実施形態では、課金管理装置９が、業務利用状況データに応じてエンドユーザに対する課金額の割引を行うようにしたが、これに限らず、課金管理装置７が、個人利用状況データに応じて、非エンドユーザに対する課金額の割引を行うようにしてもよい。この場合も、上述の実施形態と同様に、例えば、課金管理装置７が、個人利用状況データの示す利用楽曲数が多いほど割引率を高くしたり、個人利用状況データの示す利用時間が長いほど割引率を高くしたりしてもよい。
【００３８】
また、上述の実施形態において、業務用カラオケ装置１２の利用に応じてエンドユーザが非エンドユーザに対して支払う利用料金を、個人利用状況データに応じて割り引くようにしてもよい。この場合は、エンドユーザによる業務用カラオケ装置１２の利用状況に応じて利用料金を算出する料金算出装置を設け、該料金算出装置が、個人利用状況データに応じて、該利用料金の割引を行うようにすればよい。この場合も、上述の実施形態と同様に、例えば、料金算出装置が、個人利用状況データの示す利用楽曲数が多いほど割引率を高くしたり、個人利用状況データの示す利用時間が長いほど割引率を高くしたりしてもよい。
【００３９】
（２）また、上述の実施形態において、店舗１毎（又は業務用カラオケ装置１２毎）に異なる割引体系を用いるようにしてもよい。この場合は、例えば、店舗１（又は業務用カラオケ装置１２）と割引体系との対応関係を課金管理装置９に予め記憶させておき、業務用管理装置１２が、業務利用状況データを生成する際に、業務利用状況データに店舗を識別する店舗ＩＤ（又は端末ＩＤ）を含めるようにすればよい。課金管理装置９は、課金額算出処理を行う際に、業務利用状況データに含まれる店舗ＩＤ（又は端末ＩＤ）に対応する割引体系を予め記憶された対応関係を参照して特定し、特定した割引体系に従って業務利用状況データに応じた割引額算出処理を行うようにしてもよい。
【００４０】
（３）上述の実施形態では、課金管理装置７、課金管理装置９及びユーザ管理データベース１０がそれぞれ別体の装置として構成され、それらの装置が通信ネットワークで接続されたシステムについて説明したが、これらの装置のうちの少なくとも一部が一体として構成されていてもよい。例えば、課金管理装置９がユーザ管理データベース１０を含んでいてもよく、また、例えば、課金管理装置７と課金管理装置９とがひとつの装置として構成されていてもよい。要するに、本発明に係る課金管理装置は、ひとつの装置として構成されていてもよく、また、複数の装置が通信ネットワークで接続されたシステムとして構成されていてもよい。
【００４１】
（４）上述した実施形態における業務用カラオケ装置１２、課金管理装置７、個人用カラオケ装置２２、課金管理装置９の各制御部によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記録した状態で提供し得る。また、インターネットのようなネットワーク経由で各装置にダウンロードさせることも可能である。
【図面の簡単な説明】
【００４２】
【図１】システムの構成の一例を示すブロック図である。
【図２】業務用カラオケ装置のハードウェア構成の一例を示すブロック図である。
【図３】個人用カラオケ装置のハードウェア構成の一例を示すブロック図である。
【図４】課金管理装置のハードウェア構成の一例を示すブロック図である。
【図５】対応関係の内容の一例を示す図である。
【図６】課金管理装置のハードウェア構成の一例を示すブロック図である。
【図７】対応関係の内容の一例を示すブロック図である。
【符号の説明】
【００４３】
１…店舗、２…家屋、３…ＶＰＮ、４…店舗管理データベース、５…楽曲データベース、６…採点データベース、７…課金管理装置、８…インターネット、９…課金管理装置、１０…ユーザ管理データベース、１１…ルータ、１２…業務用カラオケ装置、１３…ＬＡＮ、２１…家庭用ルータ、２２…個人用カラオケ装置、２３…家庭内ＬＡＮ、７１，９１，１２１，２２１…制御部、７２，９２，１２２，２２２…記憶部、７３，９３，１２３，２２３…表示部、７４，９４，１２４，２２４…操作部、７８，９８…通信部、１２５…マイクロホン、１２６，２２６…音声処理部、１２７，２２７…スピーカ、７２１，９２１…対応関係記憶領域、１２２１，２２２１…カラオケコンテンツ記憶領域。
【図１】
0005211783.tif 000002
【図２】
0005211783.tif 000003
【図３】
0005211783.tif 000004
【図４】
0005211783.tif 000005
【図５】
0005211783.tif 000006
【図６】
0005211783.tif 000007
【図７】
0005211783.tif 000008